【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
ジャッキを調整するための装置であって、
ジャッキの第１のジャッキ部材上に装着可能であり且つ第１のストップ面を含む第１の調整可能ストップを備え、
前記第１のジャッキ部材が長手方向軸線を有し、前記第１の調整可能ストップが、前記長手方向軸線に沿って前記第１の調整可能ストップ又は前記第１のジャッキ部材の少なくとも一方に作用する力に応答して前記長手方向軸線に沿った前記第１のジャッキ部材に対する前記第１のストップ面の移動を阻止する第１の調整機構を含み、前記第１の調整機構がまた、前記長手方向軸線に沿った前記第１のジャッキ部材に対する前記第１のストップ面の位置を選択的に調整し、
前記第１の調整機構が、前記第１のジャッキ部材上の対応するそれぞれのネジと嵌合する、前記第１の調整可能ストップ上の少なくとも１つのネジを含み、かつ、前記ジャッキの外部からアクセス可能な、調整のための第１の端部を含み、
前記装置が更に、
支持要素と、
前記支持要素上に装着され、第２のストップ面を含む第２の調整可能ストップと、
を備え、
前記第２の調整可能ストップが、前記長手方向軸線に沿って前記第２の調整可能ストップ又は前記支持要素の少なくとも一方に作用する軸方向の力に応答して前記長手方向軸線に沿った前記支持要素に対する前記第２のストップ面の移動を阻止する第２の調整機構を含み、前記第２の調整機構がまた、前記長手方向軸線に沿った前記第１のストップ面又は前記支持要素の少なくとも一方に対する前記第２のストップ面の位置を選択的に調整し、
前記第２の調整機構が、前記支持要素上の対応するそれぞれのネジと嵌合する、前記第２の調整可能ストップ上の少なくとも１つのネジを含み、かつ、前記ジャッキの外部からアクセス可能な、調整のための第２の端部を含み、
前記第１の端部および前記第２の端部が、前記支持要素の外側に突出する、
装置。
【請求項２】
前記第１の調整可能ストップ上の少なくとも１つのネジが、前記ネジのピッチ、リード、又は条数のうちの少なくとも１つを含み、
前記ネジのピッチ、リード、又は条数のうちの少なくとも１つが、軸方向の力に応答して前記第１のストップ面と前記第１のジャッキ部材との間の移動を阻止するために選択され、前記第１の調整可能ストップの回転によって前記第１のジャッキ部材に対する前記第１のストップ面の軸方向位置が調整されるようになる、請求項１に記載の装置。
【請求項３】
前記第１のストップ面の所望の位置に対応する回転量が、前記第１の調整可能ストップ及び前記第１のジャッキ部材上のネジのピッチ、リード、又は条数のうちの少なくとも１つに基づいて決定される、請求項２に記載の装置。
【請求項４】
前記第２の調整機構が、前記第２の調整可能ストップ上の少なくとも１つのネジが、前記ネジのピッチ、リード、又は条数のうちの少なくとも１つを含み、
前記ネジのピッチ、リード、又は条数のうちの少なくとも１つが、軸方向の力に応答して前記長手方向軸線に沿った前記第２のストップ面と前記支持要素との間の移動を阻止するために選択され、前記第２の調整可能ストップの回転によって前記支持要素に対する前記第２のストップ面の軸方向位置が調整されるようになる、請求項１に記載の装置。
【請求項５】
前記第２のストップ面の所望の位置に対応する回転量が、前記第２の調整可能ストップ及び前記支持要素上のネジのピッチ、リード、又は条数のうちの少なくとも１つに基づいて決定される、請求項４に記載の装置。
【請求項６】
前記第１のジャッキ部材が、液圧式ジャッキの内側シリンダを含み、前記第１の調整可能ストップが、上り勾配ストップである、請求項１に記載の装置。
【請求項７】
前記支持要素が、機械式ストップ又は液圧式ジャッキの内側シリンダのちの１つであり、前記第２の調整可能ストップが、下り勾配ストップである、請求項１に記載の装置。
【請求項８】
ジャッキのストップギャップを調整するための装置であって、
ジャッキの第１のジャッキ部材上に選択的に装着され、第１のストップ面を含む第１の調整可能ストップと、
前記第１のストップ面に対向する第２のストップ面を含み、前記第１のストップ面と前記第２のストップ面との間の距離が第１のストップギャップである支持要素と、
を備え、
前記第１の調整可能ストップが更に、前記第１のジャッキ部材の第２の調整機構と相互作用して、前記第１のストップギャップを選択的に調整しながら、前記第１のジャッキ部材の長手方向軸線に沿って前記第１の調整可能ストップ及び前記第１のジャッキ部材の少なくとも一方に作用する軸方向の力に応答した前記第１のストップギャップの変化を阻止する第１の調整機構を含み、
前記第１の調整機構が、少なくとも１つの第１のネジを含み、前記第２の調整機構が、少なくとも１つの対応する第２のネジを含み、かつ、前記ジャッキの外部からアクセス可能な、調整のための第１の端部を含み、
前記装置が更に、
前記支持要素上に選択的に装着され、第３のストップ面を含む第２の調整可能ストップと、
前記第１の調整可能ストップ上で前記第３のストップ面に対向する第４のストップ面と、
を備え、
前記第３のストップ面と前記第４のストップ面との間の距離が第２のストップギャップであり、前記第２の調整可能ストップが、第２の部材支持要素の第４の調整機構と相互作用して、前記第２のストップギャップを選択的に調整しながら、前記長手方向軸線に沿って前記第２の調整可能ストップ及び前記支持要素の少なくとも一方に作用する軸方向の力に応答した前記第２のストップギャップの変化を阻止する第３の調整機構を含み、
前記第３の調整機構が、前記第２の調整可能ストップ上に少なくとも１つの第３のネジを含み、前記第４の調整機構が、前記支持要素上に少なくとも１つの対応する第４のネジを含み、かつ、前記ジャッキの外部からアクセス可能な、調整のための第２の端部を含み、
前記第１の端部および前記第２の端部が、前記支持要素の外側に突出する、
装置。
【請求項９】
前記少なくとも１つの第１のネジおよび前記少なくとも１つの対応する第２のネジが、各ネジのピッチ、リード、又は条数のうちの少なくとも１つを含み、前記各ネジのピッチ、リード、又は条数のうちの少なくとも１つが、軸方向の力に応答した前記長手方向軸線に沿った前記第１のストップ面と前記第２のストップ面との間の相対移動を阻止することにより前記第１のストップギャップの変化を阻止し、且つ前記第１のアジャスタ調整可能ストップの回転に応答した前記長手方向軸線に沿った相対移動を可能にする、請求項８に記載の装置。
【請求項１０】
前記第１の調整可能ストップが、前記少なくとも１つの第１のネジを保持する内面を備えたボアを有する内側ハウジングを含む、請求項９に記載の装置。
【請求項１１】
前記少なくとも１つの第３のネジおよび前記少なくとも１つの対応する第４のネジを含みが各ネジのピッチ、リード、又は条数のうちの少なくとも１つを含み、前記各ネジのピッチ、リード、又は条数のうちの少なくとも１つが、前記長手方向軸線に沿った前記第３のストップ面と前記第４のストップ面との間の相対移動を阻止することにより軸方向の力に応答した前記第２のストップギャップの変化を阻止し、且つ前記第２の調整可能ストップの回転に応答した前記長手方向軸線に沿った相対移動を可能にする、請求項８に記載の装置。
【請求項１２】
前記第２の調整可能ストップが、前記支持要素におけるボアに装着される外側ブッシュを含み、前記外側ブッシュの外面が少なくとも１つの第３のネジを含み、前記支持要素のボアの内面が少なくとも１つの第４のネジを含む、請求項１１に記載の装置。
【請求項１３】
前記第１のジャッキ部材が、液圧式ジャッキの内側シリンダを含み、前記支持要素が、前記液圧式ジャッキの機械的ストップ又は前記液圧式ジャッキの外側シリンダの一方を含み、前記第１の調整可能ストップ及び前記第２の調整可能ストップが各々、前記内側シリンダの長手方向軸線と同軸の長手方向軸線を有する、請求項８に記載の装置。
【請求項１４】
前記第１の調整可能ストップが内側ハウジングを含み、前記第２の調整可能ストップが外側ブッシュを含み、前記内側ハウジングが前記外側ブッシュにおけるボアを通って延びており、前記第１の調整機構が、前記内側ハウジング内のボアの内面上に少なくとも１つの第１のネジを含み、前記第２の調整機構が、前記第１のジャッキ部材の外面上に少なくとも１つの対応する第２のネジを含み、前記各第１及び第２のネジのピッチ、リード、又は条数のうちの少なくとも１つが、軸方向の力に応答した前記内側ハウジングの第１のストップ面と前記第１のジャッキ部材との間の相対移動を阻止し、且つ前記内側ハウジングの回転に応答した相対移動を可能にし、前記第３の調整機構が、前記外側ブッシュの外面上の少なくとも１つの第３のネジを含み、前記第４の調整機構が、前記支持要素におけるボアの内面上に少なくとも１つの対応する第４のネジを含み、前記各第３及び第４のネジのピッチ、リード、又は条数のうちの少なくとも１つが、軸方向の力に応答した前記第４のストップ面と前記支持要素との間の相対移動を阻止し、且つ前記外側ブッシュの回転に応答した相対移動を可能にする、請求項１３に記載の装置。
【請求項１５】
前記第１のストップギャップが上り勾配ストップギャップであり、前記第２のストップギャップが下り勾配ストップギャップである、請求項８に記載の装置。
【請求項１６】
第１のジャッキ部材上に装着され、前記第１の調整可能ストップおよび前記第１のジャッキ部材上の第１および第２のネジに対応し、前記ジャッキの外部からアクセス可能な、調整のための第１の端部を含む、第１の調整可能ストップと、
支持要素と、
前記支持要素に装着され、前記第２の調整可能ストップおよび前記支持要素上の第３および第４のネジに対応し、前記ジャッキの外部からアクセス可能な、調整のための第２の端部を含む、第２の調整可能ストップと、
前記第１の調整可能ストップ及び前記支持要素それぞれ上の対向する第１及び第２のストップ面と、
前記第２の調整可能ストップ及び前記第１の調整可能ストップそれぞれ上の対向する第３及び第４のストップ面と、
を備え、
前記第１の端部および前記第２の端部が、前記支持要素の外側に突出する、
ジャッキを調整する装置において、前記ジャッキを調整する方法が、
前記第１の調整可能ストップを用いて前記第１のストップ面を前記第２のストップ面と係合状態にするステップと、
前記第１の調整可能ストップを用いて前記第１のストップ面を第１の所望の移動距離だけ前記第２のストップ面から離れて移動させるステップと、
前記第２の調整可能ストップを用いて前記第３のストップ面を前記第４のストップ面と係合状態にするステップと、
前記第２の調整可能ストップを用いて前記第３のストップ面を第２の所望の移動距離だけ前記第４のストップ面から離れて移動させるステップと、
を含む、方法。
【請求項１７】
前記第１のストップ面を前記第２のストップ面と係合状態にするステップが、前記第１の調整可能ストップを第１の方向で回転させるステップを含む、請求項１６に記載の方法。
【請求項１８】
前記第１の調整可能ストップ及び前記第１のジャッキ部材それぞれ上の前記対応する第１及び第２のネジが、前記第１のジャッキ部材に作用する荷重に応答して前記第１及び第２のストップ面間の相対移動を阻止するよう選択されたそれぞれのピッチ、それぞれのリード、及びそれぞれの条数のうちの少なくとも１つを含み、
前記第１のストップ面を第１の所望の移動距離だけ前記第２のストップ面から離れて移動させるステップが、
前記第１及び第２のネジのそれぞれのピッチ、それぞれのリード、及びそれぞれの条数のうちの少なくとも１つに基づいて前記第１の所望の量を達成するための前記第１及び第２のネジ間の第１の相対回転量を決定するステップと、
前記第１の調整可能ストップを前記第１の相対回転量だけ第２の方向で回転させるステップと、
を含む、請求項１７に記載の方法。
【請求項１９】
前記第３のストップ面を前記第４のストップ面と係合状態にするステップが、前記第２の調整可能ストップを第３の方向で回転させるステップを含む、請求項１６に記載の方法。
【請求項２０】
前記第２の調整可能ストップ及び前記支持要素それぞれ上の対応する前記第３及び第４のネジが、前記第１のジャッキ部材に作用する荷重に応答して前記第３及び第４のストップ面間の相対移動を阻止するよう選択されたそれぞれのピッチ、それぞれのリード、及びそれぞれの条数のうちの少なくとも１つを含み、
前記第３のストップ面を第２の所望の移動距離だけ前記第４のストップ面から離れて移動させるステップが、
前記第１及び第２のネジのそれぞれのピッチ、それぞれのリード、及びそれぞれの条数のうちの少なくとも１つに基づいて、前記第２の所望量を達成するために前記第３及び第４のネジ間の第２の相対回転量を決定するステップと、
前記第２の調整可能ストップを前記第２の相対回転量だけ第４の方向で回転させるステップと、
を含む、請求項１９に記載の方法。
【手続補正２】
【補正対象書類名】明細書
【補正対象項目名】００１８
【補正方法】変更
【補正の内容】
【００１８】
図３及び４に示す実施例において、内側ハウジング２３０は、第１のストップ面２３５を有することができるフランジ２３６又は同様のものを含むことができる。支持要素軸方向ボア２１２のネジ付き部分２１４は、実施形態において、肩部又は上り勾配ストップ２１６を形成できるように、内側ジャッキシリンダが滑動する軸方向ボア２１２の部分よりも大きな内径を有することができ、その少なくとも一部は、上り勾配方向のようなある方向で内側ジャッキシリンダ２３０の移動を制限することができる第１のストップ面２３５とは反対の第２のストップ面として構成することができる。本明細書で使用される場合、「上り勾配方向」とは、内側シリンダ２２０がジャッキ２００の外部に移動するか、又はジャッキ２００から延びる方向を意味する。加えて、フランジ２３６は、外側ブッシュ２５０の下り勾配ストップフランジ２５６を係合し、下り勾配方向のような反対方向の内側ジャッキシリンダ２３０の移動を制限するよう構成することができる。本明細書で使用されるように、「下り勾配方向」とは、内側シリンダがジャッキ２００に向けて移動又は後退する方向を意味する。例えば、下り勾配ストップフランジ２５６は、内側シリンダ２２０の移動を制限するため内側ハウジングフランジ２３６上の対向する第４のストップ面２３７に面する第３のストップ面２５７を含むことができる。従って、内側ジャッキシリンダ２３０は、フランジ２３６が肩部又は上り勾配ストップ２１６を係合する上り勾配ストップ位置と、フランジ２３６が下り勾配ストップフランジ２５６と係合する下り勾配ストップ位置との間でのみ移動することができる。上り勾配ストップ位置において、第４のストップ面２３７は、上り勾配ストップ２１６上の第２のストップ面と係合し、下り勾配ストップ位置では、第３のストップ面２５７が第４のストップ面２３７と係合する。第１及び第２のストップ面間の距離は、上り勾配ストップギャップ２３９であり、第３及び第４のストップ面は、下り勾配ストップギャップ２５９である。フランジ２３６をサイズ調整し、ネジ付き部分２２２上のフランジ２３６の位置を調整し、下り勾配ストップフランジ２５６の位置を調整することによって、最大下り勾配ストップギャップ２５９と同様に最大上り勾配ストップギャップ２３９を微調整することができ、その結果、内側シリンダ２２０が所要以上には延伸又は後退しなくなる。１つ又は複数の雄ネジ２３４及び／又は雌ネジ２５４の少なくともピッチ、リード、及び／又は条数を用いることにより、所望の最大上り勾配ストップギャップ２３９及び／又は最大下り勾配ストップギャップ２５９を達成するための内側ハウジング２３０及び／又は外側ブッシュ２５０の転回数を高精度で決定することができる。
【手続補正３】
【補正対象書類名】図面
【補正対象項目名】図３
【補正方法】変更
【補正の内容】
【図３】
2014081076.tif 000001
【手続補正４】
【補正対象書類名】図面
【補正対象項目名】図４
【補正方法】変更
【補正の内容】
【図４】
2014081076.tif 000002